(57)【要約】【課題】割り口を設けたチェーン連結素子を連結する場合に、前記を割り口を閉鎖する場合に、隙間が生じることがなく、前記両端部を軸方向に容易に略一直線として閉鎖できると共に、前記割り口を容易に閉鎖することのできるチェーン連結素子を提供する。【解決手段】環状に形成される線状部材１１の両端部１１ａ，１１ｂを閉鎖せずに離間させて割り口２０を形成し、連結時に前記割れ口２０を閉鎖してチェーンを連結させるチェーン連結素子１０であって、前記チェーン連結素子１０を形成する線状部材１１の一端部を外方に向けて前記割れ口２０を形成すると共に前記線状部材１１の一端部先端１１ａは斜面として形成される一方、前記線状部材１１の他端部先端１１ｂは、前記一端部１１ａを内方に向けて押し込み前記割れ口２０を閉鎖する場合に前記線状部材１１の一端部１１ａに形成された斜面と係合する斜面として形成するように構成する。【選択図】図1
2020076423.tif 000002
【特許請求の範囲】
【請求項１】
環状に形成される線状部材の両端部を閉鎖せずに離間させて割り口を形成し、連結時に前記割れ口を閉鎖してチェーンを連結させるチェーン連結素子であって、
前記チェーン連結素子を形成する線状部材の一端部を外方に向けて前記割れ口を形成すると共に前記線状部材の一端部先端は斜面として形成される一方、前記線状部材の他端部先端は、前記一端部を内方に向けて押し込み前記割れ口を閉鎖する場合に前記線状部材の一端部に形成された斜面と係合する斜面として形成されてなる
ことを特徴とするチェーン連結素子。
【請求項２】
何れか一方の前記斜面に突部を備え、他方の前記斜面に前記突部と係合可能な凹部を形成してなることを特徴とする請求項１に記載のチェーン連結素子。
【請求項３】
前記突部は略Ｖ字状に形成されてなると共に、前記凹部は前記突部と係合する略逆Ｖ字状の凹部として形成されてなることを特徴とする請求項２に記載のチェーン連結素子。
【請求項４】
外方に向けて前記割り口を形成する前記線状部材の一端部は、前記チェーン連結素子平面と同平面上における外方に向けて開口し形成されてなることを特徴とする請求項１乃至請求項３の何れか一に記載のチェーン連結素子。
【請求項５】
外方に向けて前記割り口を形成する前記線状部材の一端部は、前記チェーン連結素子平面と交差する方向に向けて開口し形成されてなることを特徴とする請求項１乃至請求項３の何れか一に記載のチェーン連結素子。
【請求項６】
外方に向けて前記割り口を形成する前記線状部材の一端部の外側面には、挟み工具で前記線状部材の外側面を挟み前記割り口を閉鎖する際に前記挟み工具が滑らないように前記挟み工具のあごが入り込む凹部を設けてなることを特徴とする請求項１乃至請求項５の何れか一に記載のチェーン連結素子。
【発明の詳細な説明】
【技術分野】
【０００１】
本発明は、人止め・車止め及び牽引・巻き上げ等に用いられる金属製のチェーンの端末を、他のチェーン，アイボルト，金属製のリング等の被連結部材に連結させるための、チェーン連結素子に関する。
【背景技術】
【０００２】
従来、私有地への無断侵入や自転車及び自動車の無断駐車を防ぐため、また、歩道と駐輪場や、歩道と車道とを仕切るため等々に、金属製のリンクチェーンを架設させており、これらに用いられる金属製のリンクチェーンの多くは、線径が３ｍｍ乃至８ｍｍ程度の略角丸長方形形状やオーバル形状の環体を連鎖させたステンレスチェーンである。このステンレスチェーンは耐腐食性に富み、表面がバレル加工処理されたものは光沢があり、その多くは汎用性に富むＳＵＳ３０４を素材としており、また、線径が３ｍｍ又はそれ以上の線径を有する金属製のリンクチェーンとしては、ステンレス製の外に、鉄製チェーン、クロムメッキ処理された鉄製チェーンなどが使用されており、これらはまた、牽引用・巻き上げ用のチェーンとしても用いられている。
【０００３】
ところで、前記金属製のリンクチェーンは、平行する略直線部と２つの略半円形からなる略角丸長方形形状等の環状体を連結させたものであり、夫々の略角丸長方形形状等の環状体は、線材を環状に曲成して両端を突き合わして溶接接合されている。このため、リンクチェーンの端末同士を連結する場合や、リンクチェーンの端末を建物及び塀の外壁等に固定したアイボルトの頭部に連結する場合や、金属製の柵柱に固定されている金属リングに連結させる場合等には、チェーンリンク用の接続部品が必要になる。
【０００４】
この種の接続部品としては、一般的には、例えば、特許文献１に記載のワリカンと呼ばれるチェーン連結素子が公知である。前記ワリカンは、全体として略角丸長方形形状等の環状体として形成されており、平行する略直線部の一方に形成された軸方向に垂直な切断面を、環状体の面方向に対して交差する方向にずらすようにして捻り、両端部を開き、それによって割り口を形成している。そして、前記割り口から被連結部材を挿入して、前記チェーン連結素子の両端部を捻り戻して、両端部を軸方向に略一直線となるように割り口を閉鎖して連結している。
【０００５】
しかしながら、前記従来のチェーン連結素子では、捻り戻しがうまくできずに、前記割り口に、軸方向と直交する隙間が生じる場合があり、そこから、割り口が広がる場合がある。また、前記チェーン連結素子の両端部を捻り戻して割り口を閉鎖する場合に、両端部を軸方向に略一直線とならずに、軸方向と直交する向きにずれが生じる場合があり、被連結部材に引っかかる場合も生じる。また、前記割り口を閉鎖するため、記両端部を捻り戻すには相当の力が必要となり、そのため、両端部を軸方向に略一直線とすることが困難な場合が生じる。
【０００６】
【非特許文献１】株式会社ＭｏｎｏｔａＲｏ  ネットカタログ  ワリカン（ステンレス）                ｈｔｔｐｓ//ｗｗｗ．ｍｏｎｏｔａｒｏ．ｃｏｍ/ｇ/００５０７９８３
【発明の概要】
【発明が解決しようとする課題】
【０００７】
本発明は、前記従来の問題点を解決するためになされたものであり、前記のように割り口を設けたチェーン連結素子を連結する場合に、前記を割り口を閉鎖する場合に、軸方向と直交するような隙間が生じることがなく、前記両端部を軸方向に容易に略一直線として閉鎖できると共に、前記割り口を容易に閉鎖することのできるチェーン連結素子を提供することを目的とする。
【課題を解決するための手段】
【０００８】
請求項１に記載のチェーン連結素子は、環状に形成される線状部材の両端部を閉鎖せずに離間させて割り口を形成し、連結時に前記割れ口を閉鎖してチェーンを連結させるチェーン連結素子であって、  前記チェーン連結素子を形成する線状部材の一端部を外方に向けて前記割れ口を形成すると共に前記線状部材の一端部先端は斜面として形成される一方、前記線状部材の他端部先端は、前記一端部を内方に向けて押し込み前記割れ口を閉鎖する場合に前記線状部材の一端部に形成された斜面と係合する斜面として形成されてなることを特徴とする。
【０００９】
請求項１に記載のチェーン連結素子に依れば、連結時には前記割り口は両端部に形成された斜面が係合して閉鎖されるため、線状部材の軸方向と直交する空隙が発生せず、また、閉鎖するときは、前記斜面同士が係合し、それ以上に突入することがないため、前記両端部を軸方向に容易に略一直線として閉鎖できると共に、前記割り口を容易に閉鎖することができる。
【００１０】
請求項２に記載のチェーン連結素子は、請求項１に記載のチェーン連結素子において、何れか一方の前記斜面に突部を備え、他方の前記斜面に前記突部と係合可能な凹部を形成してなることを特徴とする。
【００１１】
請求項２に記載のチェーン連結素子に依れば、連結時には前記割り口は両端部に形成された前記突部と係合可能な凹部が係合して閉鎖されるため、前記線状部材の軸方向と交差する方向においてずれることなく、前記割り口を閉鎖することができる。
【００１２】
請求項３に記載のチェーン連結素子は、請求項２に記載のチェーン連結素子において、前記突部は略Ｖ字状に形成されてなると共に、前記凹部は前記突部と係合する略逆Ｖ字状の凹部として形成されてなることを特徴とする。
【００１３】
請求項３に記載のチェーン連結素子に依れば、連結時には前記割り口は両端部に形成された前記突部と係合可能な凹部が係合して閉鎖されるため、前記線状部材の軸方向と交差する方向においてずれることなく、前記割り口を閉鎖することができる。
【００１４】
請求項４に記載のチェーン連結素子は、請求項１乃至請求項３の何れか一に記載のチェーン連結素子において、外方に向けて前記割り口を形成する前記線状部材の一端部は、前記チェーン連結素子平面と同平面上における外方に向けて開口し形成されてなることを特徴とする。
【００１５】
請求項４に記載のチェーン連結素子に依れば、連結時には前記割り口を閉鎖する場合には、前記チェーン連結素子を縦において、ハンマー等の打撃工具で叩いて閉鎖することができる。
【００１６】
請求項５に記載のチェーン連結素子は、請求項１乃至請求項３の何れか一に記載のチェーン連結素子において、外方に向けて前記割り口を形成する前記線状部材の一端部は、前記チェーン連結素子平面と交差する方向に向けて開口し形成されてなることを特徴とする。
【００１７】
請求項５に記載のチェーン連結素子に依れば、連結時には前記割り口を閉鎖する場合には、前記チェーン連結素子を横において、ハンマー等の打撃工具で叩いて閉鎖することができる。
【００１８】
請求項６に記載のチェーン連結素子は、請求項１乃至請求項５の何れか一に記載のチェーン連結素子において、外方に向けて前記割り口を形成する前記線状部材の一端部の外側面には、挟み工具で前記線状部材の外側面を挟み前記割り口を閉鎖する際に前記挟み工具が滑らないように前記挟み工具のあごが入り込む凹部を設けてなることを特徴とする。
【００１９】
請求項６に記載のチェーン連結素子に依れば、前記割り口を挟み工具を用いて閉鎖する場合に挟み工具が滑らずに前記割り口を閉鎖することができる。
【発明の効果】
【００２０】
請求項１に記載のチェーン連結素子は、環状に形成される線状部材の両端部を閉鎖せずに離間させて割り口を形成し、連結時に前記割れ口を閉鎖してチェーンを連結させるチェーン連結素子であって、  前記チェーン連結素子を形成する線状部材の一端部を外方に向けて前記割れ口を形成すると共に前記線状部材の一端部先端は斜面として形成される一方、前記線状部材の他端部先端は、前記一端部を内方に向けて押し込み前記割れ口を閉鎖する場合に前記線状部材の一端部に形成された斜面と係合する斜面として形成されているので、連結時には前記割り口は両端部に形成された斜面が係合して閉鎖されるため、線状部材の軸方向と直交する空隙が発生せず、また、閉鎖するときは、前記斜面同士が係合し、それ以上に突入することがないため、前記両端部を軸方向に容易に略一直線として閉鎖できると共に、前記割り口を容易に閉鎖することができる。
【００２１】
請求項２に記載のチェーン連結素子は、請求項１に記載のチェーン連結素子において、何れか一方の前記斜面に突部を備え、他方の前記斜面に前記突部と係合可能な凹部を形成しているので、連結時には前記割り口は両端部に形成された前記突部と係合可能な凹部が係合して閉鎖され、前記線状部材の軸方向と交差する方向においてずれることなく、前記割り口を閉鎖することができる。
【００２２】
請求項３に記載のチェーン連結素子は、請求項２に記載のチェーン連結素子において、前記突部は略Ｖ字状に形成されてなると共に、前記凹部は前記突部と係合する略逆Ｖ字状の凹部として形成されているので、連結時には前記割り口は両端部に形成された前記突部と係合可能な凹部が係合して閉鎖され、前記線状部材の軸方向と交差する方向においてずれることなく、前記割り口を閉鎖することができる。
【００２３】
請求項４に記載のチェーン連結素子は、請求項１乃至請求項３の何れか一に記載のチェーン連結素子において、外方に向けて前記割り口を形成する前記線状部材の一端部は、前記チェーン連結素子平面と同平面上における外方に向けて開口し形成されているので、連結時には前記割り口を閉鎖する場合に、前記チェーン連結素子を縦において、ハンマー等の打撃工具で叩いて閉鎖することができる。
【００２４】
請求項５に記載のチェーン連結素子は、請求項１乃至請求項３の何れか一に記載のチェーン連結素子において、外方に向けて前記割り口を形成する前記線状部材の一端部は、前記チェーン連結素子平面と交差する方向に向けて開口し形成されているので、連結時に割り口を閉鎖する場合に、挟み工具で閉鎖作業を行う他、前記チェーン連結素子を横において、ハンマー等の打撃工具で叩いて閉鎖することができる。
【００２５】
請求項６に記載のチェーン連結素子は、請求項１乃至請求項５の何れか一に記載のチェーン連結素子において、外方に向けて前記割り口を形成する前記線状部材の一端部の外側面には、挟み工具で前記線状部材の外側面を挟み前記割り口を閉鎖する際に前記挟み工具が滑らないように前記挟み工具のあごが入り込む凹部を設けているので、前記割り口を挟み工具を用いて閉鎖する場合に挟み工具が滑らずに前記割り口を閉鎖することができる。
【図面の簡単な説明】
【００２６】
【図１】本発明の実施形態に係るチェーン連結素子の正面図である。
【図２】（ａ）は、平面図であり、（ｂ）は底面図である。
【図３】（ａ）は左側面図であり、（ｂ）はに右側面図である。
【図４】図１のＡ−Ａ線断面図である。
【図５】図２（ａ）のＢ−Ｂ線断面図である。
【図６】図１のＣ−Ｃ’線Ｄ−Ｄ’線部分拡大図である。
【図７】斜視図である。
【図８】使用状態を示す斜視図である。
【図９】他の実施態様を示す斜視図である。
【図１０】他の実施態様の使用状態を示す斜視図である。
【発明を実施するための形態】
【００２７】
本発明を実施するための形態を次の実施例において詳述する。
【００２８】
図１は、本発明の実施形態に係るチェーン連結素子の正面図であり、図２（ａ）は、平面図であり、（ｂ）は底面図であり、図３（ａ）は左側面図であり、（ｂ）は右側面図であり、図４は図１のＡ−Ａ線断面図であり、図５は図２（ａ）のＢ−Ｂ線断面図であり、図６は図１のＣ−Ｃ’線Ｄ−Ｄ’線部分拡大図であり、図７は斜視図である。
【００２９】
本実施形態に係るチェーン連結素子１０は、平行する略直線部と２つの略半円形からなる角丸長方形形状のチェーンリンクを接続するものであって、接続する状態において、接続されるチェーンリンクと同形状となるように形成されている。なお、接続されるチェーンリンクは前記角丸長方形形状に限定されず、オーバル形状のものであっても良く、その場合は、チェーン連結素子１０をオーバル形状としても良い。また、接続されるチェーンリンクとは必ずしも同形状でなくとも良い。
【００３０】
図１乃至図７に示すように、本実施形態に係るチェーン連結素子１０は、連結状態においては、平行する略直線部１１、１２と２つの略半円形部１３，１４からなる角丸長方形形状のチェーンリンクであり、連結前は、前記チェーン連結素子１０の一方の前記略直線部１１を、途中から、角丸長方形平面と同平面上であって、外方に向けて開放するように跳ね上げて形成させており、それによって被連結部材を連結するための割り口２０を形成している。
【００３１】
そして、前記外方に向けて開放するように形成される略直線部１１の先端は、閉鎖方向に対面する斜面１１ａとして形成し、他方の略直線部１１の先端は、前記斜面１１ａと係合可能な斜面１１ｂとして形成されている。
【００３２】
さらに、前記斜面１１ａは、前方に向けて突出する略Ｖ字状の突部１１ｃとして形成されており、前記斜面１１ｂは、前記突部１１ｃと嵌合する凹部１１ｄとして形成されている。
【００３３】
そして、前記外方に向けて開放するように形成される略直線部１１には、プライヤー等の挟み工具Ｐを用いて閉鎖する場合に、前記挟み工具Ｐが前記外方に向けて開放するように形成される略直線部１１に沿って滑らないように、外側面に、前記挟み工具Ｐのあごの滑り止め用の凹部３０を凹設している。前記凹部３０は、軸方向に傾斜する斜面３０ａと斜面３０ｂとで略ｖ字状の凹部３０としている。
【００３４】
図８は使用状態を示す斜視図であり、図８に示すように、前記チェーン連結素子１０をを用いて連結する場は、チェーンリンクＣＬ１とチェーンリンクＣＬ２とを前記割り口２０から前記チェーン連結素子１０の内方に挿入し、前記外方に向けて開放するように形成される略直線部１１と対向する略直線部１２とをプライヤーＰのあごで挟み込み、締め付けて、前記割り口２０を閉鎖するのである。そのとき、前記外方に向けて開放するように形成される略直線部１１に当たるプライヤーＰのあごが前記凹部３０に滑り込み、前記凹部３０に引っかかり、それ以上滑ることなく、閉鎖作業を行うことができる。
【００３５】
また、前記外方に向けて開放するように形成される略直線部１１は、前記チェーン連結素子１０の平面と同平面上における外方に向けて形成されているので、連結時には前記割り口２０を閉鎖する場合に、前記チェーン連結素子１０を縦において、ハンマー等の打撃工具で叩くことができ、打撃入力が分散されずに比較的少ない打撃力で容易に閉鎖することもできる。
【００３６】
そして、前記割り口２０が閉鎖するときには、前記斜面１１ａ，１１ｂが係合して閉鎖されるため、線状部材の軸方向と直交する空隙が発生せず、また、閉鎖するときは、前記斜面１１ａ，１１ｂ同士が係合し、それ以上に内方に突入することがないため、前記両端部を軸方向に容易に略一直線として閉鎖できると共に、前記割り口２０を容易に閉鎖することができる。
【００３７】
また、略直線部１１の両端部に形成された前記突部１１ｃと係合可能な凹部１１ｄが係合して閉鎖され、前記チェーン連結素子１０の軸方向と交差する方向においてずれることなく、前記割り口２０を閉鎖することができる。
【００３８】
図９は他の実施態様を示す斜視図である。図９に示すチェーン連結素子５０は、割り口６０を形成するため、一方の略直線部５１の端部５１ａと他方の略直線部５２の端部５２ａとを、おおよそ前記略直線部５１、５２の中間部で軸方向と直交する方向に捻って、前記割り口６０を形成している。
【００３９】
前記端部５１ａと前記端部５２ａには、閉鎖状態で係合するように、閉鎖方向に対向する向きに斜面５１ｂと斜面５２ｂが形成されており、一方の前記斜面５１ｂには略Ｖ字状の突部５１ｃが形成され、他方の前記斜面５２ａには、前記突部５１ｃと嵌合する略逆Ｖ字状の凹部５２ｃが形成されている。
【００４０】
図１０は他の実施態様の使用状態を示す斜視図である。図１０に示すように、前記チェーン連結素子５０を用いて連結する場は、チェーンリンクＣＬ３とチェーンリンクＣＬ４とを前記割り口６０から前記チェーン連結素子５０の内方に挿入し、前記外方に向けて開放するように形成される略直線部５１と対向する略直線部５２とをプライヤーＰのあごで挟み込み、締め付けて、前記割り口６０を閉鎖するのである。なお、本実施態様の前記チェーン連結素子５０には、前記前記チェーン連結素子１０に設けた前記凹部３０のような挟み工具Ｐのあごの滑り止めは設けていないが、別途設けても良い、そのときは両方の略直線部５１，５２に設けても良いし、一方にのみ設けても良い。
【００４１】
また、前記外方に向けて開放するように形成される略直線部１１は、前記チェーン連結素子１０の平面と同平面上における外方に向けて形成されているので、連結時には前記割り口２０を閉鎖する場合に、挟み工具で閉鎖作業を行う他、前記チェーン連結素子を横において、ハンマー等の打撃工具で叩いて閉鎖することができる。
【００４２】
そして、前記割り口６０が閉鎖するときには、前記斜面５１ｂ，５２ｂが係合して閉鎖されるため、線状部材の軸方向と直交する空隙が発生せず、また、閉鎖するときは、前記斜面５１ｂ，５２ｂ同士が係合し、それ以上に逆方向に突入することがないため、前記両端部５１ａ，５２ａを軸方向に容易に略一直線として閉鎖できると共に、前記割り口６０を容易に閉鎖することができる。
【００４３】
また、略直線部５１，５２の両端部に形成された前記突部５１ｃと係合可能な凹部５２ｃが係合して閉鎖され、前記チェーン連結素子５０の軸方向と交差する方向においてずれることなく、前記割り口６０を閉鎖することができる。
【００４４】
なお、前記各実施態様の前記チェーン連結素子１０，５０においては、前記斜面１１ａ，１１ｂ並びに前記斜面５１ｂ，５２ｂは、それぞれ、閉鎖方向に正対する斜面として形成されているが、軸の回転方向に向けて、少し傾斜して形成してもよい。
【符号の説明】
【００４５】
１０    チェーン連結素子
１１    略直線部
１１ａ  斜面
１１ｂ  斜面
１１ｃ  略Ｖ字状突部
１１ｄ  略逆Ｖ字状凹部
１１ｅ
１１ｆ
１２    略直線部
１３，１４    略半円形部
２０    割り口
３０    滑り止め凹部
３０ａ  斜面
３０ｂ  斜面
５０    チェーン連結素子（他の実施形態）
５
１    略直線部
５１ａ  略直線部の端部
５１ｂ  斜面
５１ｃ  突部
５２    略直線部
５２ａ  略直線部の端部
５２ｂ  斜面
５２ｃ  凹部
ＣＬ１〜ＣＬ４  チェーンリンク（被連結部材）
【図１】
2020076423.tif 000003
【図２】
2020076423.tif 000004
【図３】
2020076423.tif 000005
【図４】
2020076423.tif 000006
【図５】
2020076423.tif 000007
【図６】
2020076423.tif 000008
【図７】
2020076423.tif 000009
【図８】
2020076423.tif 000010
【図９】
2020076423.tif 000011
【図１０】
2020076423.tif 000012
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
環状に形成される線状部材の両端部を閉鎖せずに離間させて割り口を形成し、連結時に前記割れ口を閉鎖してチェーンを連結させるチェーン連結素子であって、
前記チェーン連結素子を形成する線状部材の一端部を外方に向けて前記割れ口を形成すると共に前記線状部材の一端部先端は斜面として形成される一方、前記線状部材の他端部先端は、前記一端部を内方に向けて押し込み前記割れ口を閉鎖する場合に前記線状部材の一端部に形成された斜面と係合する斜面として形成され、
何れか一方の長円形状に形成された前記斜面において、前記斜面の長手方向軸と稜線の方向が一致する略Ｖ字状に形成される突部を備え、他方の前記斜面に前記略Ｖ字状に形成される突部と係合可能な略逆Ｖ字状の凹部を形成してなることを特徴とするチェーン連結素子。
【請求項２】
外方に向けて前記割り口を形成する前記線状部材の一端部は、前記チェーン連結素子平面と同平面上における外方に向けて開口し形成されてなることを特徴とする請求項１に記載のチェーン連結素子。
【請求項３】
外方に向けて前記割り口を形成する前記線状部材の一端部は、前記チェーン連結素子平面と交差する方向に向けて開口し形成されてなることを特徴とする請求項１に記載のチェーン連結素子。
【請求項４】
外方に向けて前記割り口を形成する前記線状部材の一端部の外側面には、挟み工具で前記線状部材の外側面を挟み前記割り口を閉鎖する際に前記挟み工具が滑らないように前記挟み工具のあごが入り込む凹部を設けてなることを特徴とする請求項１乃至請求項３の何れか一に記載のチェーン連結素子。
【手続補正２】
【補正対象書類名】明細書
【補正対象項目名】０００８
【補正方法】変更
【補正の内容】
【０００８】
請求項１に記載のチェーン連結素子は、環状に形成される線状部材の両端部を閉鎖せずに離間させて割り口を形成し、連結時に前記割れ口を閉鎖してチェーンを連結させるチェーン連結素子であって、前記チェーン連結素子を形成する線状部材の一端部を外方に向けて前記割れ口を形成すると共に前記線状部材の一端部先端は斜面として形成される一方、前記線状部材の他端部先端は、前記一端部を内方に向けて押し込み前記割れ口を閉鎖する場合に前記線状部材の一端部に形成された斜面と係合する斜面として形成され、何れか一方の長円形状に形成された前記斜面において、前記斜面の長手方向軸と稜線の方向が一致する略Ｖ字状に形成される突部を備え、他方の前記斜面に前記略Ｖ字状に形成される突部と係合可能な略逆Ｖ字状の凹部を形成してなることを特徴とする。
【手続補正３】
【補正対象書類名】明細書
【補正対象項目名】０００９
【補正方法】変更
【補正の内容】
【０００９】
請求項１に記載のチェーン連結素子に依れば、連結時には前記割り口は両端部に形成された斜面が係合して閉鎖されるため、線状部材の軸方向と直交する空隙が発生せず、また、閉鎖するときは、前記斜面同士が係合し、それ以上に突入することがないため、前記両端部を軸方向に容易に略一直線として閉鎖できると共に、前記割り口を容易に閉鎖することができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、連結時には前記割り口は両端部に形成された前記突部と係合可能な凹部が係合して閉鎖されるため、前記線状部材の軸方向と交差する方向においてずれることなく、前記割り口を閉鎖することができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、連結時には前記割り口は両端部に形成された前記突部と係合可能な凹部が係合して閉鎖されるため、前記線状部材の軸方向と交差する方向においてずれることなく、前記割り口を閉鎖することができる。
【手続補正８】
【補正対象書類名】明細書
【補正対象項目名】００１４
【補正方法】変更
【補正の内容】
【００１４】
請求項２に記載のチェーン連結素子は、請求項１に記載のチェーン連結素子において、外方に向けて前記割り口を形成する前記線状部材の一端部は、前記チェーン連結素子平面と同平面上における外方に向けて開口し形成されてなることを特徴とする。
【手続補正９】
【補正対象書類名】明細書
【補正対象項目名】００１５
【補正方法】変更
【補正の内容】
【００１５】
請求項２に記載のチェーン連結素子に依れば、連結時には前記割り口を閉鎖する場合には、前記チェーン連結素子を縦において、ハンマー等の打撃工具で叩いて閉鎖することができる。
【手続補正１０】
【補正対象書類名】明細書
【補正対象項目名】００１６
【補正方法】変更
【補正の内容】
【００１６】
請求項３に記載のチェーン連結素子は、請求項１に記載のチェーン連結素子において、外方に向けて前記割り口を形成する前記線状部材の一端部は、前記チェーン連結素子平面と交差する方向に向けて開口し形成されてなることを特徴とする。
【手続補正１１】
【補正対象書類名】明細書
【補正対象項目名】００１７
【補正方法】変更
【補正の内容】
【００１７】
請求項３に記載のチェーン連結素子に依れば、連結時には前記割り口を閉鎖する場合には、前記チェーン連結素子を横において、ハンマー等の打撃工具で叩いて閉鎖することができる。
【手続補正１２】
【補正対象書類名】明細書
【補正対象項目名】００１８
【補正方法】変更
【補正の内容】
【００１８】
請求項４に記載のチェーン連結素子は、請求項１乃至請求項３の何れか一に記載のチェーン連結素子において、外方に向けて前記割り口を形成する前記線状部材の一端部の外側面には、挟み工具で前記線状部材の外側面を挟み前記割り口を閉鎖する際に前記挟み工具が滑らないように前記挟み工具のあごが入り込む凹部を設けてなることを特徴とする。
【手続補正１３】
【補正対象書類名】明細書
【補正対象項目名】００１９
【補正方法】変更
【補正の内容】
【００１９】
請求項３に記載のチェーン連結素子に依れば、前記割り口を挟み工具を用いて閉鎖する場合に挟み工具が滑らずに前記割り口を閉鎖することができる。
【手続補正１４】
【補正対象書類名】明細書
【補正対象項目名】００２０
【補正方法】変更
【補正の内容】
【００２０】
請求項１に記載のチェーン連結素子は、請求項１に記載のチェーン連結素子は、環状に形成される線状部材の両端部を閉鎖せずに離間させて割り口を形成し、連結時に前記割れ口を閉鎖してチェーンを連結させるチェーン連結素子であって、前記チェーン連結素子を形成する線状部材の一端部を外方に向けて前記割れ口を形成すると共に前記線状部材の一端部先端は斜面として形成される一方、前記線状部材の他端部先端は、前記一端部を内方に向けて押し込み前記割れ口を閉鎖する場合に前記線状部材の一端部に形成された斜面と係合する斜面として形成され、何れか一方の長円形状に形成された前記斜面において、前記斜面の長手方向軸と稜線の方向が一致する略Ｖ字状に形成される突部を備え、他方の前記斜面に前記略Ｖ字状に形成される突部と係合可能な略逆Ｖ字状の凹部を形成されているので、連結時には前記割り口は両端部に形成された斜面が係合して閉鎖されるため、線状部材の軸方向と直交する空隙が発生せず、また、閉鎖するときは、前記斜面同士が係合し、それ以上に突入することがないため、前記両端部を軸方向に容易に略一直線として閉鎖できると共に、前記割り口を容易に閉鎖することができる。
【手続補正１５】
【補正対象書類名】明細書
【補正対象項目名】００２１
【補正方法】変更
【補正の内容】
【００２１】
また、何れか一方の前記斜面に突部を備え、他方の前記斜面に前記突部と係合可能な凹部を形成しているので、連結時には前記割り口は両端部に形成された前記突部と係合可能な凹部が係合して閉鎖され、前記線状部材の軸方向と交差する方向においてずれることなく、前記割り口を閉鎖することができる。
【手続補正１６】
【補正対象書類名】明細書
【補正対象項目名】００２２
【補正方法】変更
【補正の内容】
【００２２】
また、前記突部は略Ｖ字状に形成されてなると共に、前記凹部は前記突部と係合する略逆Ｖ字状の凹部として形成されているので、連結時には前記割り口は両端部に形成された前記突部と係合可能な凹部が係合して閉鎖され、前記線状部材の軸方向と交差する方向においてずれることなく、前記割り口を閉鎖することができる。
【手続補正１７】
【補正対象書類名】明細書
【補正対象項目名】００２３
【補正方法】変更
【補正の内容】
【００２３】
請求項２に記載のチェーン連結素子は、請求項１に記載のチェーン連結素子において、外方に向けて前記割り口を形成する前記線状部材の一端部は、前記チェーン連結素子平面と同平面上における外方に向けて開口し形成されているので、連結時には前記割り口を閉鎖する場合に、前記チェーン連結素子を縦において、ハンマー等の打撃工具で叩いて閉鎖することができる。
【手続補正１８】
【補正対象書類名】明細書
【補正対象項目名】００２４
【補正方法】変更
【補正の内容】
【００２４】
請求項３に記載のチェーン連結素子は、請求項１に記載のチェーン連結素子において、外方に向けて前記割り口を形成する前記線状部材の一端部は、前記チェーン連結素子平面と交差する方向に向けて開口し形成されているので、連結時に割り口を閉鎖する場合に、挟み工具で閉鎖作業を行う他、前記チェーン連結素子を横において、ハンマー等の打撃工具で叩いて閉鎖することができる。
【手続補正１９】
【補正対象書類名】明細書
【補正対象項目名】００２５
【補正方法】変更
【補正の内容】
【００２５】
請求項４に記載のチェーン連結素子は、請求項１乃至請求項３の何れか一に記載のチェーン連結素子において、外方に向けて前記割り口を形成する前記線状部材の一端部の外側面には、挟み工具で前記線状部材の外側面を挟み前記割り口を閉鎖する際に前記挟み工具が滑らないように前記挟み工具のあごが入り込む凹部を設けているので、前記割り口を挟み工具を用いて閉鎖する場合に挟み工具が滑らずに前記割り口を閉鎖することができる。